(57)【特許請求の範囲】
【請求項１】
任意でかつそれぞれ異なった形状及び／又は大きさを有する複数の分割体(2a〜2c,3,4,5;8a〜8h,8'a,8'h;12,12',13;16,18;21,22;23〜30)を備えた三次元パズルであって、
前記各分割体は、パズル内の一ヶ所のみを占有することができ、
前記各分割体(2a〜2c,3,4,5;8a〜8h,8'a,8'h;12,12',13;16,18;21,22;23〜30)の少なくとも二つは、前記各分割体が適切に配置されたときにこれら分割体が互いに引きつけ合う向きに配置された少なくとも一つの磁気部材（62a〜62c,63a〜63c)を備えている三次元パズルにおいて、
前記各分割体(2a〜2c,3,4,5;8a〜8h,8'a,8'h;12,12',13;16,18;21,22;23〜30)の表面に少なくとも一つの位置決め用凸部(9',10,11',109,110',209;14'a,14'b;24a,24b)及び／又は位置決め用凹所(9,10',11,109',110,209';14a,14b,15;25a,25b)が設けられ、
前記位置決め用凸部及び／又は位置決め用凹所は、機械的手段および磁気的手段により前記各分割体(2a〜2c,3,4,5;8a〜8h,8'a,8'h;12,12',13;16,18;21,22;23〜30)が組み立てられるように、近接する分割体(2a〜2c,3,4,5;8a〜8h,8'a,8'h;12,12',13;16,18;21,22;23〜30)に設けられた位置決め用凹所(9,10',11,109',110,209';14a,14b,15;25a,25b)及び／又は位置決め用凸部(9',10,11',109,110',209;14'a,14'b;24a,24b)とそれぞれ組み合わされることができるようにされ、
前記各位置決め用凸部(9',10,11',109,110',209;14'a,14'b;24a,24b)および前記各位置決め用凹所(9,10',11,109',110,209';14a,14b,15;25a,25b)は、単一の形状及び／又は大きさを有し、及び／又は前記分割体上に不規則的に配置されていることを特徴とする三次元パズル。
【請求項２】
前記分割体の少なくとも一つ（２４，２５）は、突出した（３０９；２４ａ，２４ｂ）または中空状の（２５ａ，２５ｂ）彫刻部が形成され、
該彫刻部は、それぞれ、前記分割体の各位置決め用凸部または各位置決め用凹所の少なくとも一部を構成していることを特徴とする請求項１記載の三次元パズル。
【請求項３】
前記彫刻部（２４ａ，２４ｂ，２５ａ，２５ｂ）は、一つのまたは二以上の文字及び／又はブライユアルファベットで表された一つのまたは二以上の記号から構成されていることを特徴とする請求項２記載の三次元パズル。
【請求項４】
前記分割体の少なくとも一つ（１２’；２４）は、個性化された物体を表していることを特徴とする請求項１から請求項３のいずれかに記載の三次元パズル。
【請求項５】
前記物体（１２’；２４）の周りに複数の他の分割体が配置されていることを特徴とする請求項４記載の三次元パズル。
【請求項６】
前記物体は不透明とされ、かつ、前記各他の分割体の少なくとも複数は半透明とされていることを特徴とする請求項５記載の三次元パズル。
【請求項７】
”グローバルパズル”（２０１）として構成されるとともに、複数の第一分割体（２７〜３０）と、複数の第二分割体（２３〜２６）とを備え、
これら第二分割体（２３〜２６）は、
−前記各第一分割体（２７〜３０）とは独立して、互いに組み合わされたときに個性化された物体を表す”第二パズル”（１０１）として構成される三次元パズルを形成するようにされるとともに、
−前記グローバルパズル（２０１）を形成するために前記各第一分割体（２７〜３０）の中に組み込まれかつ分離されることができる
ことを特徴とする請求項１から請求項３のいずれかに記載の三次元パズル。
【請求項８】
前記グローバルパズル（２０１）の外形および相互保持は、前記物体または前記各二次分割体（２３〜２６）の存在とは独立していることを特徴とする請求項５から請求項７のいずれかに記載の三次元パズル。
【請求項９】
再組立されたパズルは、二つの部分（１６，１７）から形成され、
これら二つの部分は中立面に対して実質的に対称とされ、かつ前記各分割体の一つ（１６）が実質的に前記各部分の一つを構成していることを特徴とする請求項１から請求項３のいずれかに記載の三次元パズル。
【請求項１０】
少なくとも一つの磁気部材を備えているとともに複数の位置決め用凸部及び／又は複数の位置決め用凹所が設けられた実質的に平坦で連続した少なくとも一つの表面から形成された一つの支持体を備えてなり、
前記各位置決め用凸部及び／又は凹所は、前記各分割体（２１，２２）が前記表面に少なくとも一つの層を形成するように、前記各分割体（２１，２２）の各位置決め用凹所及び／又は各位置決め用凸部の少なくとも複数とそれぞれ係合するようにされていることを特徴とする請求項１から請求項３のいずれかに記載の三次元パズル。
【請求項１１】
再組立された状態で、芸術作品を再現することを特徴とする請求項１から請求項１０のいずれかに記載の三次元パズル。
【請求項１２】
ブライユアルファベットを学ぶために用いることを特徴とする請求項３から請求項１１のいずれかに記載の三次元パズル。
【発明の詳細な説明】
本発明は、三次元パズルに関する。
三次元パズルは、特に、博物館の展示品等の有名なあるいはオリジナルな芸術作品を複製する際に、彫刻を早期に学ぶ役割および芸術的な感性を高めることといった教育的機能を有する辛抱強さを必要とする周知のゲームである。
最も単純なパズルのうち、欧州特許第0,051,576号公開公報にコンビネーションゲームが開示されている。このコンビネーションゲームは、並置されかつ重ね合わされたパズルの全ての要素が磁気的な引力を用いた手段により互いに保持されるように少なくとも一つの永久磁石を有する複数の平行六面体要素から形成されている。この形式のパズルの欠点は、各要素が互いにスライドし易いため保持力に欠けるという点である。さらに、この周知のパズルの各要素の形状は、特に限られたものとされている。
他の既知の三次元パズルは、機械的な手段により組み立てられる。例えば、仏国実用証出願第2,340,110号公開公報には、相補的な複数の三次元要素から構成されたサポートフリー型パズルが開示されている。各三次元要素は、前記パズル内の一つの位置を占有し、舌状部および溝部または嵌合用の凸部および凹所が形成された任意の当接面に沿って組み立てられるようになっている。各分割体は、中空状のパズルを形成するように、あるいは、棒状、楔状、及び／又は錐状に形成することができるように、薄い皿状の形状とすることができる。欧州特許出願第0,054,577号公報には、二つの半球体により形成される三次元パズルが開示されている。各半球体は、両半球体間の結合部に平坦面を備えた三次元片の集合体から構成されている。パズルの各構成片は、パズル内に形成された複数の孔部に貫通する離間して平行配置された一対の棒状体により互いに結合される。両半球体が結合する表面に直交する二つの他の棒状体により、これら半球体は互いに結合されることになる。
これら周知のパズルの主な欠点は、区分されかつ任意な形状及び／又は大きさ有する構成片を適用することができず、そのため、パズルの形状で芸術作品を再現するのに適していないということである。
一方、本発明は、任意でかつそれぞれ異なった形状及び／又は大きさを有する複数の分割体を備えた三次元パズルを提供する。各分割体は、前記パズル内の一ヶ所のみを占有することができる。少なくとも二つの前記分割体は、前記各分割体が好適に配置されたときに、互いに引きつけられるような向きに配置された少なくとも一つの磁気部材（magnetic element）を備えている。
仏国特許第2,517,979号公開公報には、磁化により組立保持されるとともに、立方体形状あるいは非立方体形状、または同一形状あるいは非同一形状とされた種々の構成分割体を有する上述した形式の三次元パズルが開示されている。しかし、このパズルは、十分に相互保持することができず、しかも子供の教育用または学習早期者（cultural early learning）の使用に又は視覚障害者のゲームに必要な触覚作用を提供することができない。
本発明は、本発明によるパズルの各分割体の表面に少なくとも一つの位置決め用凸部及び／又は位置決め用凹所を設けることにより、この二重の欠点を解決することができる。前記位置決め用凸部及び／又は位置決め用凹所は、組立体の相互保持を補強する機械的手段および磁気的手段により前記各分割体が組み立てられるように、近接する分割体に設けられた位置決め用凹所及び／又は凸部とそれぞれ組み合わされる。各位置決め用凸部および各位置決め用凹所は、上述した使用例に本発明が特に適するように、一定でない形状及び／又は大きさを有し、及び／又は前記分割体上に不規則的に配置される。一の分割体は、該一の分割体の一つの表面を介して、一つのあるいは二以上の他の分割体と、または一つのあるいは二以上の他の分割体の各部と協働することができることは明らかである。
本発明によるパズルの特別な形状は、従来のパズルでは不可能であった優れた文化上および教育上の応用物として用いるいかなる三次元形状または彫刻の複製に対して、特に博物館の展示品等の芸術作品の複製に対して適していることは明らかである。
本発明の一実施形態によれば、前記各分割体の少なくとも一つは、任意にパズルの主題を表現することができる芸術的、絵画的または造形的な形状等の個性化された物体を表す。
本発明によるさらに他の実施形態によれば、パズルの分割体の少なくとも一つは、個性化された物体を表すとともに、複数の他の分割体が該物体の周りに配置される。この場合において、個性化された物体の外面の変化を利用して、前記他の分割体の少なくとも複数の箇所に設けられた複数の位置決め用凹所および凸部のそれぞれに対応する一対の位置決め用凸部および凹所を形成することができる。したがって、例えば、周知な又はオリジナルな他の彫刻、またはピラミッドに挿入することができる周知の彫刻の形状を有する前記物体を提供することができる。前記他の彫刻は、例えば複数の分割体から構成され、少なくともその一部分には前記物体の表面の一部分と組み合わされる表面を有しており、かつ、前記物体の周りに第一層を形成する。また、前記他の彫刻の他の部分は、前記第一層の周りに一つまたは二つ以上の層を任意に形成することができる。このように、三次元パズルに挿入された前記物体は、任意に、全く磁気部材を含まない不変的なオリジナルなものとすることができる。この場合、全パズルは、少なくとも一つの磁気部材を備えた少なくとも二つの分割体を前記物体の周りに配置することより互いに保持されることとなる。
さらに、不透明な前記物体と、半透明な少なくとも複数の前記他の分割体とを提供することができる。この場合において、磁気部材を見えないようにしたい場合には、ピラミッドの頂部と基部とを形成する二つの分割体だけを不透明とするとともに該二つの分割体に組立体を互いに保持する一つあるいは二つ以上の磁気部材を組み込んだものとし、他の分割体を半透明とすればよい。
さらに他の実施形態では、本発明によるパズルは、複数の第一分割体および複数の第二分割体を備えた”グローバルパズル（global puzzle）”として構成される。
これら第二分割体は、
−複数の前記第一分割体とは独立して、互いに組み合わされたときに個性化された物体を表す”第二パズル”として構成される三次元パズルを形成するようにされ、
−前記グローバルパズルを形成するために前記各第一分割体の中に組み込まれかつ分離されることができるものである。
上述した各場合において、一つのまたは二以上のパズル用分割体が単独的にまたは組み合わされた状態で個性化された物体を表すときに、前記各他の分割体は、任意に、前記物体または該物体を構成する分割体が省略されても相互保持およびパズルの外形に影響を与えないようにすることができる。したがって、グローバルパズルと厳密に同一な形状を有する一方、一つまたは二以上の空の内部空間および個性化された物体もしくは第二パズルを備えたいわゆる”第一”パズルにグローバルパズルを分解することができる。
本発明のさらに他の実施形態によれば、再組立されたパズルは二つの部分から形成され、これら二つの部分は中立面に対して実質的に対称とされ、かつ前記各分割体の一つが実質的に前記各部分の一つを構成している。したがって、この特別な分割体は、パズルの他の分割体の支持体として、およびパズルを再組立する際のモデルとして用いることができる。
本発明のさらに他の実施形態によれば、パズルはさらに、少なくとも一つの磁気部材を備えるとともに複数の位置決め用凸部及び／又は凹所が設けられた実質的に平坦で連続した少なくとも一つの表面から形成された一つの支持体を備えている。前記各位置決め用凸部及び／又は凹所は、前記各分割体が前記表面に少なくとも一つの層を形成するように、前記各分割体の少なくとも複数の位置決め用凹所及び／又は凸部のそれぞれと係合するようにされている。パズルの支持体を、壁または地面に固定することができ、また、天井から吊すこともできる。したがって、パズルは、例えば、再組立された状態で壁掛け用の彫刻の形状とすることができるとともに、テーマ、彫刻の見本等を想起することができる重ね合わされた各分割体の複数層から任意に形成することができる。本発明のこの実施形態は、遊び場または文化的な場所で視覚障害を持つ子供および青年が、グループで行うゲームとして用いるのに特に適している。
種々の分割体に設けられた各凸部は、円柱状、錐状、平行六面体状等の形状を有する突起、尖頭等の突出部からなり、対応する凹所は、穴部、溝部、切欠部、平行六面体形状の凹所等の形状とすることができる。好適な実施形態によれば、前記各分割体の少なくとも一つに、前記各分割体の各位置決め用凸部の少なくとも一部を構成する浮き出された彫刻部を形成することができ、かつ、彫刻部は、ブライユ（Braille）点字、ヒエログリフ（hieroglyphs）、イディオグラム（idiograms）等の何らかのアルファベットおよび言語で、図形、個々の文字、言葉またはフレーズに組み合わされた各文字等の何らかのサインまたは信号を構成することができる。したがって、パズルをより容易に再組立することができるように、対応する各彫刻部が合致すべく互いに組み合わされるようにされた二つの分割体を提供することができる。例えば、前記各分割体が組み合わされたときに、論理的に一貫するように図形または文字が表されるべく所定の方法で組み合わされるようにされた複数の分割体を提供することができる。したがって、前記文字をブライユ法によるアルファベットとした場合、本発明によるパズルは、例えば、パズルが完成されたときに組み立てられた物体を表す言葉を構成する文字の並びを作成することにより、視覚障害を持つ子供がブライユアルファベットを学ぶ際の手助けとなる教育的な道具として用いることができる。変形例として、前記各彫刻部はさらに、作成の日付、出所、タイトル、作者名等を示すことができ、あるいは前記物体の歴史を記述するテキストを構成することができる。
パズルの種々の分割体を構成する材料は、切断、モデル（modelled）、彫刻、モールド成形、鋳造、形成（formed）等ができる材料とすることができ、例えば、石膏、樹脂等がある。これら材料は、本発明によるパズルの各分割体を製造するために手作業的にまたは工業的に加工される。概して言えば、プロトタイプは、例えば石膏から手作業的に製造され、そして、得られる各分割体は、工業的な大きさで複製する観点からモールド成形される。
磁気部材は、以下の要素のうちの少なくとも一つから構成される。それは、永久磁石、磁性材料、磁性材料の混合物、一つまたは二以上の磁性材料と一つまたは二以上の非磁性材料との混合物等である。これら混合物は、粉状または粒状の材料を加熱、焼結または溶解させることにより得られる。そして、これらは、従来の工業的なプロセスにより形状が整えられる。一つのパズルの種々の分割体は、同一の磁気部材、あるいは異なった磁気部材から構成することができ、また、それらのうちのいくつかは非磁気部材とすることができる。ただし、この非磁気部材は、周りの磁気部材により定位置に保持される。
もちろん、発生する磁場により全体のパズルが互いに保持されるように、種々の磁気部材を適切に相互配置することは必要である。このため、各磁気部材が磁化されていない（非磁気部材の数は任意である）状態でパズルの種々の構成片の製造を行い、各磁気部材により永久磁石と同様の特性を与える強い磁場の中でパズルを再組立することができる。
本発明は、添付図面とともに、以下の説明に基づいてより理解される。
−図１は、本発明によるパズルの第一実施形態であり、再組立された状態のリンゴを表したパズルを概略的に示した斜視図である。
−図２は、図１のパズルを水平面Ｈについて各矢印II-II方向に見た断面図である。
−図３は、図１のパズルを垂直面Ｖについて各矢印III-III方向に見た断面図である。
−図４は、図１のパズルを部分的に再組立した状態を示す平面図である。
−図４ａは、図４の詳細部を別の角度から見た拡大図である。
−図５は、本発明によるパズルの第二実施形態であり、全体的に再組立された状態でフクロウを表すパズルであって、部分的に再組立された状態を示す正面図である。
−図６は、図５の組立体を補足するパズルの一つの構成片を示した拡大正面図である。
−図７ａおよび図７ｂは、本発明によるパズルの第三実施形態であり、クマを表したパズルのそれぞれ対向する二つの側面を示す側面図である。
−図８は、本発明によるパズルの第四実施形態であり、全体的に再組立された状態を示す正面図である。
−図８ａは、図８に示したパズルの二つの構成片を示す拡大斜視図である。
−図９は、本発明によるパズルの第五実施形態であり、全体的に再組立された状態を示す斜視図である。
−図９ａは、図９に示したパズルの第一分割体を示す底面図である。
−図９ｂは、図９に示したパズルの第二分割体を示す斜視図である。
−図１０は、本発明によるパズルの第六実施形態であり、図９ｂに示す構成片が組み込まれ、かつ部分的に完成された状態のパズルを示す平面図である。
−図１１は、図１０に示したパズルをさらに組み立てた後の状態を示す平面図である。
−図１２は、図１１に示した組立体を補足するパズルの一構成片を示す底面図である。−図１３は、図１０のパズルを完全に組み立てた状態を示す斜視図である。
まず、図１を参照して説明する。図１は、本発明の第一実施形態による自己支持型（self-supported）三次元パズルを示し、再組立された状態でリンゴを表すパズルを示している。リンゴ体１は、４２個の三次元分割体からなり、一部分の分割体２，３，４，５，…のみが図１に見える状態で示されている。これら分割体は、それぞれが別個の形状とされかつパズル１の一ヶ所を占有するように、異なった大きさおよび形状とされている。各分割体３，４，５は、実質的に水平方向に切断したリンゴの一部分を表していることに留意すべきである。
図２および図３は、それぞれ、水平方向および垂直方向の断面図であり、三次元形状を有する種々の分割体の不規則な輪郭をさらに示している。これらの図において、各分割体２ａ〜２ｃ，３，…は、矩形状の磁石６２ａ〜ｃ，６３ａ〜ｃ，…を少なくとも一つ備えている。これら磁石は、図３に矢印で示す如く、それぞれの極性が反転するような方向に向けて配置されている。したがって、例えば、分割体３の各磁石６３ｃ，６３ａ，６３ｂは、各分割体２ｃ，２ａ，２ｂの各磁石６２ｃ，６２ａ，６２ｂにより引きつけられることになり、この逆も成り立つ。これにより、前記各分割体が相互に結合されることになる。
図４は、前述した各図に示したリンゴ体を構成する種々の分割体の構造をさらに正確に示したものである。この図において、図１から図３に示されたパズルが部分的に再組立された状態を表している。すなわち、図１から図３に示されたパズルは、配置されるべき八つの分割体８ａ〜ｈにより取り囲まれた不完全なリンゴ体７から形成されることになる。各分割体８ａ〜ｈには、複数の凹所及び／又は複数の凸部が設けられている。たとえば、分割体８ａには、実質的に半球状とされた１０個の凹所９，…と、実質的に錐状とされた二つの突出部１０，…と、台形状の断面を有する凹所１１とが設けられている。これら凸部は、パズルが完全に再組立された際に、分割体８ａに近接する不完全リンゴ体７の他の分割体８’ａに設けられた、１０個の半球状突出部９’，…と、二つの錐状切欠部１０’，…と、一つの突出部１１’とをそれぞれ係合させるために用いられる。さらに明らかに示すために、分割体８’ａの境界線は、図４に太線で示されている。図４ａの拡大された詳細部は、分割体８’ｈと係合するようにされた分割体８ｈを示している。分割体８ｈには、角部が切欠された台状部１０９の表面に形成された実質的に半球状とされた複数の凹所９と、実質的に半球状とされた一つの突出部２０９と、実質的に錐状とされた複数の凹所１１０とが設けられている。これらの形状は、それぞれ、分割体８’ｈに設けられかつ組み合わされる各形状９’，１０９’，２０９’，１１０’と係合するようになっている。各分割体の一つ３０９に日付表示が施されていることに留意すべきである。
図４および図４ａから明らかなように、位置決め用の各凹所と各凸部とが係合することにより、種々の分割体が正確に相互配置されるだけでなく、定位置に効果的に保持されることをも保証されることになる。位置決め用の各凸部及び／又は各凹所の数及び／又は大きさ及び／又は形状及び／又は配置は、各分割体ごとに異なったものとされる。
図５は、本発明による他のパズルを示しており、該パズルは、２８個の分割体からなり、全体的に再組立された状態でフクロウを表すものである。この図において、パズルは、部分的に再組立されているとともに、種々の分割体は、図１から図４に示したものと同一の特徴を有している。ただし、図示されたうちで異なる点は、各分割体のいくつかは高度に個性化された物の特別な形状を有しているということである。これは、図６に示した分割体１２’の場合である。この分割体１２’は、実質的に半球状の各凹所１４ａ，１４ｂにより形成された両目を備えているとともに、円形凹所１５によりその外形が形成されたフクロウの頭部形状を表している。これら凹所１４ａ，１４ｂは、図５の分割体１２に設けられかつ組み合わされる凸部１４ａ’，１４ｂ’と係合させるために用いられる。図５の分割体１３もまた、その表面にフクロウの形状が凹所により表されているとともに、組み合わされる凸部の表面に同一のフクロウの形状が表された分割体（図示せず）と係合させるために用いられる。より明らかに図示するために、分割体１２，１３の外形は、図５に太線で描かれている。
図７ａおよび図７ｂは、本発明によるパズルの他の実施形態を示しており、このパズルは、この場合、２２個の分割体からなり、再組立された状態でクマを表すものである。これら分割体のうちの数個のみがこれらの図に示されている。相違点は、再組立されたパズルは、表現された動物の長手方向の中立面に関してほぼ対称とされていることである。各側面のうちの一つは、単一ブロックとされている。すなわち、他の側面１７は、複数の三次元分割体１８，…から構成されているのに対し、単一の分割体１６から形成されている。第一の単一ブロック側面１６は、三次元パズルの各分割体の支持体として、および他の側面を再組立する際のモデルとしての役割を果たす。
部分的に支持されるパズルの他の形式は、図８および図８ａに示されている。図８は、パズルの他の各分割体２１，２２，…（図８ａに拡大されて示された分割体２１，２２）に対する壁用支持体として機能する大きな分割体（図示せず）を備えた本発明によるパズルを示している。前記各他の分割体２１，２２，…は、前記壁用支持体上に単一層を形成する。ただし、支持用分割体を、複数の他の分割体の連続した複数層で覆うことができることは明らかである。
図９、図９ａおよび図９ｂは、本発明の他の実施形態によるパズルを示している。図９に示された再組立されたパズル１０１は、古代エジプト女神の胸像を複製したものである。パズル１０１の各分割体２３，２４，２５，２６は、これら分割体が対向する各表面の少なくとも一つにブライユ点字の文字を備えているとともに、近接する分割体に設けられた複数の凹所または複数の凸部とそれぞれ係合させるために用いられる複数の凸部または複数の凹所を有している。したがって、図９ａに示す分割体２４は、その下側面２４Ｉに、ブライユ点字の文字ｃを表す二つの円形凸部２４ａ，２４ｂと、ブライユ表記法において読むべき方向を下線で規定する矩形凸部１２４とを有している。図９ｂに示すように、各凸部２４ａ，２４ｂは、それぞれ、分割体２５の上側面２５Ｓの各凹所２５ａ，２５ｂと組み合わされる。ゆえに、パズルの各分割体２３，２４，２５，２６に表された文字により、視覚障害者がこれら分割体を容易に組み立てることができるようになり、例えば、各分割体に形成された複数の文字の論理的な並び又は言葉が互いに組み合わされることとなる。さらに、図５および図６に示した実施形態と同様に、分割体２４は、該分割体が属するパズルの中で個性化された一つの物体としてみなされることができるという点に留意すべきである。
図１３には、”グローバルパズル”として構成された大きなパズル２０１が示されている。このパズル２０１の外部形状は、ピラミッドの形状とされているとともに、”第一分割体”としての複数の分割体から構成されている。”第二分割体”としての複数の他の分割体は、分離させれられ、かつ合体させられるようになっている。図１０から図１３に示すように、図９に示した（”第二パズル”として後述する）パズル１０１の各分割体は、前記各第二分割体を構成する。図１０には、部分的に完成された状態のグローバルパズル２０１が示されている。特に、このパズル２０１は、第二分割体として図９ｂに示した分割体２５に合体させられる。このことは、この図には明示されていないが、グローバルパズル２０１はさらに、すでに形成された状態で複数層とされる他の第二分割体としての分割体２３，２４，２６（図９参照）を備えている。これら分割体２３，２４，２６は、互いに間隔を空けて各位置に配置されている。図１１には、さらに後の組立状態の同一のグローバルパズル２０１が示されている。図１１において、図１０に示した第一分割体２７，２８，２９，３０は、部分的に再組立されたグローバルパズル２０１に組み込まれている。最後に、図１２には、図１１に示したパズルを補完するパズルの一部分が示されている。これらの図から、グローバルパズル２０１の第二分割体２５を省略することは、該第二分割体が各分割体を磁石により保持しているため、パズルの外部形状に影響を及ぼさないことは明らかである。したがって、この実施形態は、各第二分割体が、グローバルパズルに内包されるか又はグローバルパズルから分離されるかされるとともに、一方で空の内部空間が形成されかつグローバルパズルと同一の外部形状を有する第一パズルを形成し、他方で第二パズルを形成するようにされた互いに結合される入れ子型組立体の一種を提供することとなる。
以上の説明から、本発明は、磁力と、一対の凸部と凹所からなり、その数、大きさ、配置および形状は変化させることができるようにされた機械的手段とにより組み立てられる任意形状の区分された複数の分割体から形成される例えば既知の彫刻等を複製する三次元パズルを提供することができる。これにより、本発明は、使用者の触覚に訴える教育用ゲームに特に適したものであり、その結果として特に視覚障害者に特に適したものとなる。
【図１】
0003724808.tif 000002
【図２】
0003724808.tif 000003
【図３】
0003724808.tif 000004
【図４】
0003724808.tif 000005
【図４ａ】
0003724808.tif 000006
【図５】
0003724808.tif 000007
【図６】
0003724808.tif 000008
【図７ａ】
0003724808.tif 000009
【図７ｂ】
0003724808.tif 000010
【図８】
0003724808.tif 000011
【図８ａ】
0003724808.tif 000012
【図９】
0003724808.tif 000013
【図９ａ】
0003724808.tif 000014
【図９ｂ】
0003724808.tif 000015
【図１０】
0003724808.tif 000016
【図１１】
0003724808.tif 000017
【図１２】
0003724808.tif 000018
【図１３】
0003724808.tif 000019